(57)【要約】      （修正有）【課題】ランドセル背環に取付ける背負ベルトの組立作業を容易にすると共に左右動する可動アームの杜髪の毛が挟まらないようにする。【解決手段】ランドセルの背板上部中央に左右動可能に対をなす可動アーム３０，３０を具えた背環５を取付けて該可動アームの上部両側に設けた支持部３３，３３に回動可能に連結する該可動アーム３０、３０と、前記可動アームの支持部に設けた連結口３４、３４に挿入させる取付ピン５６を挿通する円筒部５０ａに補強板５０ｂを設けた端部金具５０とからなる。前記端部金具５０を内部に装着した背負ベルト３の先端部を、前記可動アームの凹入部３５内に収容すると共に、弾発バネのバネ作用により左右動する該可動アームの連結口３４と、前記端部金具の内筒部５０ａとを合致させて取付ピン５６を圧入して取付け、前記補強板５０ｂが前記可動アームの上端部３５ａに掛止する。【選択図】図２
0003129873.tif 000002
【実用新案登録請求の範囲】
【請求項１】
ランドセルの背板上部中央に左右動可能に対をなす可動アーム（３０，３０）を具えた背環（５）を取付け、該可動アームの上部両側に設けた支持部（３３，３３）の間に凹入部（３５）を設けた可動アーム（３０、３０）と、
円筒部（５０ａ）に補強板（５０ｂ）を有した端部金具（５０）とからなり、
弾発バネ（２６）のバネ作用により左右動する前記可動アームの連結口（３４、３４）と前記端部金具の円筒部（５０ａ）とを合致させて取付ピン（５６）で回動可能に軸支し、背負ベルト（３）の先端を前記端部金具（５０）に取付け、該端部金具の側面部を前記可動アームの上端部（３５ａ）に掛止させて前記背負ベルト（３）を直立するようにしてなることを特徴とする背負ベルト取付用背環。
【請求項２】
前記端部金具（５０）は、円筒部（５０ａ）の接線部分に連続して該円筒部の中心を通る直線と平行に補強板（５０ｂ）を設けてなることを特徴とする請求項１記載の背負ベルト取付用背環。
【請求項３】
対をなす前記可動アーム（３０）は、両側部に曲面状をしたガイド片（３６、３７）を形成すると共に、上部両側を前方に突出して設けた支持部（３３、３３）の上部に連結口（３４、３４）を設け、該連結口と同心状に形成して背負ベルトの先端部を収容する凹入部（３５）の上部に、前記端部金具の補強版（５０ｂ）が掛止する上端部（３５ａ）を設けてなることを特徴とする請求項１記載の背負ベルト取付用背環。
【請求項４】
上部中央に吊下金具（４０）を具えた上辺部（７）の両側に、開口部（２０、２０）の内端をなす内端部（１０，１０）をそれぞれ設け、両内端部（１０、１０）の下部に両側から内曲面部（１１，１１）を形成し、該内端部（１０）と対をなして前記開口部の外端をなす外端部（１３，１３）を有して設けた側端面部（１２、１２）の内側に外曲面部（１２ａ，１２ａ）を設け、該外曲面部の下方に掛止片（２２、２２）を形成すると共に、前記側端面部に連なる下辺部（１４）を有したケース本体（６）と、
該ケース本体（６）の表面を覆う薄手のカバー体（２５）と、
ケース本体の内部両側に設けたピン孔（１６、１６）に下部を止ピン（２７、２７）で左右動可能に枢支し、弾発バネ（２６、２６）で中央方向に弾発させて前記開口部の外方に突出させた一対の可動アーム（３０、３０）と、
前記可動アーム（３０）の両側には、前記上辺部に連続して下部両側に設けた内曲面部（１１，１１）及び前記側端面部（１２、１２）の内側に設けた外曲面部（１２ａ，１２ａ）の内側に沿って、前記開口部が開放しないように前記止ピン（２７、２８）を支点に回動するように曲面状をしたガイド片（３６、３７）をそれぞれ設け、前記可動アームの両側面部（３０ａ，３０ｂ）と当接する第１、２ストッパー（１７，１８）を前記内端部（１０，１０）及び前記外端部（１３，１３）の手前位置に形成し、
弾発バネ（２６）の作用で左右動する該可動アームの両側面部（３０ａ，３０ｂ）を前記第１，２ストッパー（１７、１８）に当接させて、前記可動アームの両側面部（３０ａ、３０ｂ）と前記内端部（１０）及び前記外端部（１３）との間に間隙（５４）を設けるようにしてなることを特徴とする背負ベルト取付用背環。
【請求項５】
前記第１、２ストッパー（１７、１８）は、前記ケース本体（６）の内部に設けたピン孔（１６、１６）にピン止した可動アーム（３０、３０）が左右動して該ケース本体の上部両側に設けた開口部（２０、２０）の両端を形成する前記内端部（１０、１０）と前記外端部（１３、１３）の手前部分であって、該可動アーム（３０）の両側に形成した曲面状の内ガイド（３６）および外ガイド（３７）の下側に設けてなることを特徴とする請求項４記載の背負ベルト取付用背環。
【請求項６】
ランドセルの背板上部中央に左右動可能に対をなす可動アーム（３０，３０）を具えた背環（５）を取付け、該可動アームの上部両側に設けた支持部（３３，３３）の間に凹入部（３５）を設けた可動アーム（３０、３０）と、円筒部（５０ａ）の接線部分に連続して該円筒部の中心を通る直線と平行に補強板（５０ｂ）を設けた端部金具（５０）とからなり、
弾発バネ（２６）のバネ作用により左右動する前記可動アームの連結口（３４、３４）と前記端部金具の円筒部（５０ａ）とを合致させて取付ピン（５６）で回動可能に軸支し、背負ベルト（３）の先端を前記端部金具に取付け、前記補強板５０ｂの側面を前記可動アームの上端部３５ａに掛止させて前記背負ベルト（３）を直立させるようにし、
上部中央に吊下金具（４０）を具えた上辺部（７）の両側に、設けた開口部（２０、２０）の内端をなす内端部（１０，１０）をそれぞれ設け、両内端部（１０、１０）の下部に両側から内曲面部（１１，１１）を形成し、該内端部（１０）と対をなして前記開口部の外端をなす外端部（１３，１３）を有して設けた側端面部（１２、１２）の内側に外曲面部（１２ａ，１２ａ）を設け、該外曲面部の下方に掛止片（２２、２２）を形成すると共に、側端面部に連なる下辺部（１４）を有したケース本体（６）と、
該ケース本体（６）の表面を覆う薄手のカバー体（２５）と、
ケース本体の内部両側に設けたピン孔（１６、１６）に下部を止ピン（２７、２７）で左右動可能に枢支し、弾発バネ（２６、２６）で中央方向に弾発させて前記開口部の外方に突出させた一対の可動アーム（３０、３０）と、
前記可動アーム（３０）の両側には、前記上辺部に連続して下部両側に設けた内曲面部（１１，１１）及び前記側端面部（１２、１２）の内側に設けた外曲面部（１２ａ，１２ａ）の内側に沿って、前記開口部が開放しないように前記止ピン（２７、２８）を支点に回動するように曲面状をしたガイド片（３６、３７）をそれぞれ設け、前記可動アームの両側面部（３０ａ，３０ｂ）と当接する第１、２ストッパー（１７，１８）を前記内端部（１０，１０）及び前記外端部（１３，１３）の手前位置に形成し、
弾発バネ（２６）の作用で左右動する該可動アームの両側面部（３０ａ，３０ｂ）を前記第１，２ストッパー（１７、１８）に当接させて、前記可動アームの両側面部（３０ａ、３０ｂ）と前記内端部（１０）及び前記外端部（１３）との間に間隙（５４）を設けるようにしてなることを特徴とする背負ベルト取付用背環。
【考案の詳細な説明】
【技術分野】
【０００１】
本考案は、ランドセルの背板上部に取付けた背環と背負ベルトとの取付部分を改良すると共に、髪の毛が挟まらないようにした背負ベルト取付用背環に関する。
【背景技術】
【０００２】
従来、ランドセルを背中に背負う一対の背負ベルトは、ランドセルの背板上部中央に取付けた背環と称する取付具に一端を取付け、他端をランドセルの底部に連結している。このランドセルは、学童が小学１年から６年までの６年間という長い期間の使用に耐えるように構成してある。
【０００３】
従来のランドセルの背環６２は、図１１に示すように、対をなす連結アーム６８の上部に設けた連結用の挿通孔６４に平面が略三角形や略四角形などの任意形状をした針金又は板状の金具６５の下方部６６を取付け、該金具の上方部６７に背負ベルト７０の端部を環回してビス７１で止着して連結している。
【０００４】
まず、連結アーム６８の上部に金具６５の下方部６６を連結する作業を行い、ついで、背負ベルト７０の先端部を金具の上方部６７に環回させてビス止めして連結する作業を行うため、作業工程が多いという欠点があった。さらに、連結する部品の構造も複雑となり、その上、組立工程が増えるため作業性が悪いという問題点を有していた（特許文献１参照）。
【０００５】
また、学童が成長して体が大きくなっても使用できるように、背負ベルト７０の一端を取付ける一対の連結アーム６８を前記背環６２にそれぞれ左右動可能に軸着してある。そして、該連結アームが左右方向に可動できるように背環の上部両側には左右方向に長く形成した開口部内から該連結アーム６８、６８を外部に突出させ、連結アームの両側面部と開口部の両端部との間に隙間が生じないように連結アームの両側に円弧状のアーム片を設け、開口部が該連結アームによって閉鎖した状態を保って開口しないようにしたものもある（特許文献２参照）。
【０００６】
しかしながら、該連結アーム６８の両側部は開口部の両端に当接して掛止する構造のため、該開口部内に髪の毛が侵入することは防止できても、前記ガイド片の上面側であって開口部の端部と連結アームの側面部との間に髪の毛が位置している状態で、該開口部の両端に連結アームが当接すると、両者の間に挟まることがあるという問題点を有していた。
【特許文献１】特開２００４−２６７６８７号公報
【特許文献２】実用新案登録第３１２００５７号公報
【考案の開示】
【考案が解決しようとする課題】
【０００７】
従来の連結アームは、背負ベルトの端部を連結アームに取付ける場合、複雑な構造をした部品を必要としてランドセルの背環に、背負ベルトの先端部を連結する作業が複雑となり、且つ、作業工程が多いため作業性が悪かった。さらに、連結アームの両側に円弧状をしたガイド片を設けることにより開口部と連結アームとの間に間隙を設けないようにして、該開口部内への髪の毛の進入は防止できても、該連結アームの両側部は開口部の両端に当接して掛止するため、開口部内に髪の毛が位置していると該可動アームとの間に挟まる可能性があった。
【０００８】
上記の問題点を防止するため、背負ベルトの端部に補強板を有した円筒部からなる端部金具を用いて、該円筒部に取付ピンを挿通することにより可動アームの上部に簡単に取付けるようにし、さらに、該可動アームが当接する内端部及び上端部の手前部分にそれぞれ第１、２ストッパーを設け、該連結アームが開口部の端部に当接せずに間隙を有して停止するようにした。これにより、たとえ開口部と連結アームとの間に髪の毛が存在しても、連結アームと開口部の端部との間に間隙を有するため髪の毛が挟まるのを確実に防止することを目的とする。
【課題を解決するための手段】
【０００９】
上記課題を解決するために本考案は、ランドセルの背板上部中央に左右動可能に対をなす可動アーム３０，３０を具えた背環５を取付け、該可動アームの上部両側に設けた支持部３３，３３の間に凹入部３５を設けた可動アーム３０、３０と、円筒部５０ａに補強板５０ｂを有した端部金具５０とからなり、弾発バネ２６のバネ作用により左右動する前記可動アームの連結口３４、３４と前記端部金具の円筒部５０ａとを合致させて取付ピン５６で回動可能に軸支し、背負ベルト３の先端を前記端部金具５０に取付け、該端部金具の側面部を前記可動アームの上端部３５ａに掛止させて前記背負ベルト３を直立するようにしてなることを特徴とする。さらに、前記端部金具５０は、円筒部５０ａの接線部分に連続して該円筒部の中心を通る直線と平行に補強板５０ｂを設けてある。また、対をなす前記可動アーム３０は、両側部に曲面状をしたガイド経ん６、３７を形成すると共に、上部両側を前方に突出して設けた支持部３３、３３の上部に連結口３４、３４を設け、該連結口と同心状に形成して前記背負ベルトの先端部を収容する凹入部３５の上部に前記端部金具の補強板５０ｂが掛止する上端部３５ａを設けてなることを特徴とする。
【００１０】
上記のように背負ベルトの端部に内蔵した端部金具５０は、円筒部５０ａと補強板５０ｂとからなり、しかも端部金具５０はその外周を、背負ベルトを構成する表面材で覆って取付けてあり、さらに、背負ベルトの先端部は前記凹入部３５内に回動可能に収容し、端部金具の円筒部５０ａは前記可動アームの支持部に設けた連結口３４、３４と合致して、係止部５７を有した取付ピン５６で軸支し、背環５の可動アーム３０に背負ベルト３の端部を簡単に取付けることができ、作業性を一段と向上させることができる。
【００１１】
上部中央に吊下金具４０を具えた上辺部７の両側に、開口部２０、２０の内端をなす内端部１０，１０をそれぞれ設け、両内端部１０、１０の下部に両側から内曲面部１１，１１を形成し、該内端部１０と対をなして前記開口部の外端をなす外端部１３，１３を有して設けた側端面部１２、１２の内側に外曲面部１２ａ，１２ａを設け、該外曲面部の下方に掛止片２２、２２を形成すると共に、側端面部に連なる下辺部１４を有したケース本体６と、該ケース本体６の表面を覆う薄手のカバー体２５と、ケース本体の内部両側に設けたピン孔１６、１６に下部を止ピン２７、２７で左右動可能に枢支し、弾発バネ２６、２６で中央方向に弾発して前記開口部の外方に突出した一対の可動アーム３０、３０と、前記可動アーム３０の両側には、前記上辺部に連続して下部両側に設けた内曲面部１１，１１及び前記側端面部１２、１２の内側に設けた外曲面部１２ａ，１２ａの内側に沿って、前記開口部が開放しないように前記止ピン２７、２７を支点に回動するように曲面状をしたガイド片３６、３７とをそれぞれ設け、前記可動アームの両側面部３０ａ，３０ｂと当接する第１、２ストッパー１７，１８を前記内端部１０，１０及び前記外端部１３，１３の手前位置に形成し、弾発バネ２６の作用で左右動する該可動アームの両側面部３０ａ，３０ｂを前記第１，２ストッパー１７、１８に当接して、前記可動アームの両側面部３０ａ、３０ｂと前記内端部１０及び前記外端部１３との間に間隙５４を設けるようにしてなることを特徴とする。
【００１２】
また前記第１、２ストッパー１７、１８は、前記ケース本体６の内部に設けたピン孔１６、１６にピン止した可動アーム３０、３０が左右動して該ケース本体の上部両側に設けた開口部２０、２０の両端を形成する前記内端部１０、１０と前記外端部１３、１３の手前部分であって、該可動アーム３０の両側に形成した曲面状の内ガイド３６および外ガイド３７の下側に設けてある。
【００１３】
そのため、可動アーム３０は前記内端部１０及び外端部１３より夫々手前位置に設けた前記第１、２ストッパー１７、１８に当接して掛止するので、開口部２０の両端に位置する内端部１０及び外端部１３の手前位置で間隙５４を有して停止するので、該可動アームと内端部１０または外端部１３との間に髪の毛が位置していても挟まることがない。
【００１４】
ランドセルの背板上部中央に左右動可能に対をなす可動アーム３０，３０を具えた背環５を取付け、該可動アームの上部両側に設けた支持部３３，３３の間に凹入部３５を設けた可動アーム３０、３０と、円筒部５０ａの接線部分に連続して該円筒部の中心を通る直線と平行に補強板５０ｂを設けた端部金具５０とからなり、弾発バネ２６のバネ作用により左右動する前記可動アームの連結口３４、３４と前記端部金具の円筒部５０ａとを合致させて取付ピン５６で回動可能に軸支し、背負ベルト３の先端を前記端部金具に取付け、前記補強板５０ｂの側面を前記可動アームの上端部３５ａに掛止させて前記背負ベルト３を直立させるようにし、上部中央に吊下金具４０を具えた上辺部７の両側に、設けた開口部２０、２０の内端をなす内端部１０，１０をそれぞれ設け、両内端部１０、１０の下部に両側から内曲面部１１，１１を形成し、該内端部１０と対をなして前記開口部の外端をなす外端部１３，１３を有して設けた側端面部１２、１２の内側に外曲面部１２ａ，１２ａを設け、該外曲面部の下方に掛止片２２、２２を形成すると共に、側端面部に連なる下辺部１４を有したケース本体６と、該ケース本体６の表面を覆う薄手のカバー体２５と、ケース本体の内部両側に設けたピン孔１６、１６に下部を止ピン２７、２７で左右動可能に枢支し、弾発バネ２６、２６で中央方向に弾発させて前記開口部の外方に突出させた一対の可動アーム３０、３０と、前記可動アーム３０の両側には、前記上辺部に連続して下部両側に設けた内曲面部１１，１１及び前記側端面部１２、１２の内側に設けた外曲面部１２ａ，１２ａの内側に沿って、前記開口部が開放しないように前記止ピン２７、２８を支点に回動するように曲面状をしたガイド片３６、３７をそれぞれ設け、前記可動アームの両側面部３０ａ，３０ｂと当接する第１、２ストッパー１７，１８を前記内端部１０，１０及び前記外端部１３，１３の手前位置に形成し、
弾発バネ２６の作用で左右動する該可動アームの両側面部３０ａ，３０ｂを前記第１，２ストッパー１７、１８に当接させて、前記可動アームの両側面部３０ａ、３０ｂと前記内端部１０及び前記外端部１３との間に間隙５４を設けるようにしてある。
【考案の効果】
【００１５】
本考案は、可動アームの上部に背負ベルトの端部を連結するのに取付ピンで簡単に取付け、しかも作業工程を減らして作業能率を向上させることができる。その上、ケース本体内で左右動する前記可動アームの両側に曲面状のガイドを設けてケース本体の上部両側に設けた開口部を常に閉鎖してあり、該可動アームの両側面部と掛止する第１，２ストッパーをケース本体内の前記開口部の両端を構成する内端部と外端部の手前位置に設けたことにより、該可動アームの両側と内端部１０及び外端部１３との間に間隙５４を有して停止するため髪の毛を挟むことはない。
【考案を実施するための最良の形態】
【００１６】
本考案に係る実施形態を図面により説明すると、図１はランドセルの背板上部中央に取付けた背環の使用状態を示す正面図、図２は背環の作動状態を示す正面図、図３は背環からカバー体及び可動アームを取り外したケース本体の正面図、図４は一方の可動アームの裏面図、図５はケース本体の平面に取付けるカバー体の正面図、図６は背負ベルトの端部を示す平面図、図７は図６のＡ−Ａ線断面図、図８は分離した取付ピンの一部破断した平面図、図９は可動アームの上端を示す斜視図である。
【００１７】
本考案は、ランドセルの背板２の上部中央に取付けて、一対の背負ベルト３，３の端部を簡単に連結できる背環５を具えたランドセル１に係るものである。背環５は、硬質合成樹脂や軽合金などの硬質部材を用いてケース本体６と一対の可動アーム３０とカバー体２５と補強体６０とで形成してあり、ケース本体６の中央部は上下方向を幅広にし、両側部は細巾にして横長の楕円形に形成してある。
【００１８】
ケース本体６の上部中央に上辺部７を設け、該上辺部の中央には、例えば学校の教室壁面などに止着してある止金具（図示せず）にランドセル１を掛止するため略環状に形成した吊下金具４０を、該ケース本体に対して前後方向に回動可能に取付けた取付板４１を収容固定する凹部８を上下方向に形成してある。この凹部８内に突設して設けた筒部９に、該取付板４１の中央に設けた穴部４２を嵌合して固定し、さらに、筒部９の中心にはボルトが挿通する通孔を有している。この吊下金具４０は、不要の場合には前方に回動して該ケース本体に取付けたカバー体上に畳むことができる。
【００１９】
ケース本体６の上辺部７の左右端に形成した内端部１０、１０は、後記する可動アームを収容する開口部２０，２０の内端を構成してある。さらに、ケース本体６の両側端には
、該開口部を介して側端面部１２、１２を形成してあり、該側端面部の上部には、前記開口部２０、２０の外端を構成する外端部１３、１３を設けてある。さらに、この開口端２０，２０の内端である内端部１０、１０の下部に連続して、ケース本体の中央下方に向かってそれぞれ円弧状の内曲面部１１、１１を形成してある。
【００２０】
ケース本体６の両側端面部１２、１２と中央下部を下方に突出させて形成した下辺部１４とを略コ字型に連続してケース本体６の両側端面部及び下辺部を囲って内部に収容室１５を形成してある。また、後記する可動アームを左右動可能に軸支するためのピン孔１６、１６を前記ケース本体内に設けた収容室１５の左右に形成し、さらに、該ピン孔１６,１６に下部を軸支させて左右方向に一定範囲で左右方向に可動する可動アーム３０，３０の両側面部３０ａ，３０ｂと当接して掛止する第１、２のストッパー１７、１８をケース本体７の収容室１５内の左右位置にそれぞれ設けてある。
【００２１】
ケース本体６の左右両端に設けた側端面部１２、１２の外側には、該ケース本体６をランドセル１および背板２に固着させるボルト４６、４６を挿通する挿通口１９，１９を設けてある。また、ケース本体６の両側に位置した側端面部１２、１２の内側下部と下辺部１４の両側端との略連結部分には、対をなして弾発バネ２６の一端が掛止する掛止片２２，２２を設けてある。
【００２２】
ケース本体内に設けた収容室１５の上方を囲うように位置した上辺部７と、側端面部１２、１２及び下辺部１４とを同一平面に形成し、且つ、該上辺部、側端面部、下辺部の平面上には夫々適宜間隔毎に複数の小径な円筒状をした突起２３，２３を設けてある。さらに、前記ケース本体６の外形と略同形に形成して、前記突起２３と合致する位置にそれぞれ設けた小孔２３ａ，２３ａを有するカバー体２５を形成し、該カバー体をケース本体の平面に取付けるようにしてある。
【００２３】
このカバー体２５は薄板部材であって、透明又は不透明部材で形成してもよく、上部中央に前記筒部９と合致する位置に穴部１９を設けてある。前記ケース本体６に設けた上辺部７と側端面部１２、１２と下辺部１４との平面、即ち表面部分を閉鎖するように固着するもので、該ケース本体６とカバー体２５とで開口部２０，２０の両側面部分を構成し、また、前記上辺部の内端部１０，１０と両側端面部の外端部１３，１３とで両端を構成してやや長尺な開口部２０を形成してある。
【００２４】
３０，３０は左右対称に対をなして形成した可動アームで、該可動アームの下部中心に軸孔３１、３１を形成し、前記ケース本体の収容部１５の左右に位置して設けたピン孔１６、１６と、該可動アームの軸孔３１，３１とに止ピン２７、２７を軸支して左右動可能に設けてある。
【００２５】
この可動アーム３０は、上部が左右方向に幅広で下部を巾狭に形成し、図４に示すように、該可動アーム３０の裏面には弾発バネ２６を収容するため、前記軸孔３１と同心状にやや大径の円形凹部３１ａを設け、該円形凹部３１ａの一側、即ち、可動アームの外方の側面部に切欠部３１ｂを設け、さらに、該円形凹部の他側の略接線方向には、該可動アームの内方側部に沿ってやや長尺な掛止溝３１ｃを設け、該掛止溝の先端部には表側に連通する開口窓３１ｄを有している。
【００２６】
前記可動アーム３０の軸孔３１とケース本体６に設けたピン孔１６とに挿通させた止ピン２７に環回部２６ａを装着した弾発バネ２６の一方のバネ片２６ｂを、該可動アーム裏面の一側に設けた切欠部３１ｂから外部に突出してケース本体の前記掛止部２２に掛止させ、他方のバネ片２６ｃは、該可動アームの裏面に外側面部３０ｂと略平行に設けた掛止溝３１ｃ内に収容して掛止してある。この場合、該掛止溝３１ｃの先端部と連続して可動アームの表側に設けた開口窓３１ｄ内に弾発バネ２６の端部が位置していると、該弾発バネの入れ忘れやバネ片の端部の破損の有無などを確認できる。
【００２７】
可動アーム３０の上部両側端を、前側にそれぞれ折り曲げて形成した支持部３３，３３の上部にそれぞれ連結口３４、３４を形成し、この可動アーム３０の上部の背面側に、前記連結口３４の中心を支点にして同心状に凹入部３５を連続して設け、該凹入部の上端部３５ａは背負ベルト３の端部内部に装着した端部金具５０の補強片５０ｂを掛止するストッパーの機能を有している。
【００２８】
この可動アーム３０の両側部に、それぞれ略円弧状をしたガイド片３６、３７を形成し、一方のガイド片３６は該可動アームの内側端と開口部の内端部１０との間に生じた空間を塞ぐための機能を有し、前記上辺部７の下方に設けた内方曲面部１１と接するように狭い間隔を存して回動するように位置し、さらに他方のガイド片３７は該可動アームの外側端と開口部の外端部１３との間に生じる空間を塞ぐためのもので、前記側端面部１２の内面に設けた外方曲面部１２ａと接するように狭い間隔を存して回動するように位置させてある。
【００２９】
可動アーム２０は、通常は弾発バネ２６の弾力によりケース本体６の中央方向に弾発してあり、該可動アームの内方に位置する内側面部３０ａが、該内端部１０の手前位置で停止するように、前記収容室１５の内部に前記内端部１０の手前位置に第１ストッパー１７を設けてある。また、弾発バネ２６の弾力に抗して可動アーム３０が前記止ピン２７を支点にして外方に回動すると、該可動アームの外方に位置する外側面部３０ｂが、前記外端部１３の手前位置で停止するように、前記収容室の内部であって前記外端部１３の手前位置に第２ストッパー１８を設けてある。
【００３０】
この可動アーム３０は、その両側面部３０ａ、３０ｂが前記内端部１０および前記外端部１３に掛止しないで間隙５４を有するようにするため、ガイド片３６，３７の下方に位置して第１，２ストッパー１７、１８を収容室１５内にそれぞれ設けてある。そのため、たとえ可動アームの両側面部と内端部１０及び外端部１３との間に髪の毛が位置していても、該可動アームと前記内端部１０又は外端部１３とは当接しないため、髪の毛が挟まることは無い。
【００３１】
５０は硬質合成樹脂や軽金属などの硬質部材で形成した端部金具で、該端部金具の円筒部５０ａの周面から板状の補強板５０ｂを一体に直立して形成してある。この補強板５０ｂは円筒部５０ａの中心を通る直線上に直立させても良いし、また円筒部５０ａの接線部から該円筒部の中心を通る直線と平行に直立させても良い。この場合、該円筒部の中心を通る直線上に補強板５０ｂを設けると、背負ベルト３の芯材３ｂが中心からずれ、円筒部体５０ａの周縁部より外方に突出してしまう欠点がある。また、前記連結口３４、３４に取付ピン５６で取付けた端部金具５０の該補強板５０ｂと可動アーム３０の上端部３５ａとが掛止するまでの距離が長くなって傾斜する角度が大きくなるという欠点がある。
【００３２】
上記のように、補強板５０ｂを円筒部５０ａの中心から偏心させた位置に設け、即ち、円筒部５０ａの接線部から直立した状態に形成すると、背負ベルト３の芯材３ｂが補強板５０ｂに接してボルト・ナットで固着した場合、厚みを有する芯材３ｂの表側が円筒部５０ａの外周面より外方に突出することはない。そして、補強板５０ｂが円筒部５０ａの一方の接線部分に位置するため、補強板５０ｂを有した円筒部５０ａが可動アームの支持部３３に設けた連結口３４，３４に取付ピン６で軸支して取付けると、可動アーム３０の上端部３５ａと掛止する距離が短くてすみ、その分、背負ベルト３の端部は略直立した状態となる利点がある。
【００３３】
取付ピン５６は、端部にやや大径な係止部５７を有した第１筒部５６ａ、第２筒部５６ｂとからなり、第１筒部の先端には周面に凹凸部を有した圧入子５８を有し、第２筒部の先端には前記圧入子を圧入させる嵌入孔５９を設けてあり、一旦嵌合すると容易に外れない構造になっている。
【００３４】
６０はケース本体６の平面に固着した薄手材からなるカバ−体２５の上方部分に取付ける略弧状をした補強体で、左右部分及び中心部に夫々孔部を設けてあり、前記ケース本体６の左右部及び中央部に設けた孔部１９およびカバー体２３の中央に設けた孔部１９に合致させてランドセルの背板上部中央にボルト、ナット４６,４６を挿通して固着してある。このカバー体の上部表面に略弧状をした補強体６０を取付けて補強している。
【００３５】
以下、本考案の実施形態の作用について説明すると、背負ベルト３の端部に収容した端部金具５０は、円筒部５０ａと補強板５０ｂとからなり、しかも該端部金具の円筒部５０ａは背負ベルト３の芯材３ｂの先端に位置して該背負ベルトの表面材を環回させビスで固定して略同心状に形成し、さらに、該背負ベルト３の先端を可動アーム３０に設けた凹入部３５内に位置して該支持部の連結口３４、３４と該円筒部５０ａとを合致させて、該可動アームの両側から取付ピン５６を圧入固定すると、該背負ベルト３の先端部は該取付ピンを支点にして凹入部３５内に回動可能に軸支される。
【００３６】
図１０において、背負ベルト３を矢印Ｘ方向に回動させると、該ベルト３は一点鎖線で示すように凹入部３５の下端部３５ｂに掛止するまで回動する。また、背負ベルト３を矢印Ｙ方向に回動させると該背負ベルトの先端部内に配した補強板５０ｂが背負ベルトの表面材を介して可動アームの凹入部３５の上端部３５ａに掛止し、それ以上回動できなくなって該背負ベルト３は上方に略直立した状態になる。この場合、一般には、可動アームの連結口３４,３４に端部金具の円筒部５０ａを取付ピン５６で回動可能に軸支して補強板５０ｂを有した該端部金具５０に背負ベルトの先端部分を環回してビスなどで固着してランドセルを完成させている。しかし、背負ベルトの先端に端部金具５０を装着して完成させた背負ベルトを、可動アームに取付ピン５６で軸支して取付けても良い。
【００３７】
上記のように背負ベルト３と可動アーム３０とは、取付ピン５６を用いて軸支し、且つ、該背負ベルトと可動アームを該取付ピン５６を用いて１ケ所で連結してあるので、組立て作業が１工程と少なくてすみ、作業能率が一段と向上する。
【００３８】
さらに、背負ベルト３の一端を連結する対をなす可動アーム３０、３０は、弾発バネ２６の作用により図２に示すように、背環５の中央方向、即ち、内方向に弾発されて、該可動アーム３０の内側面部３０ａは開口部の内端をなす内端部１０より手前部分に設けた第１ストッパー１７に掛止して停止する。また、学童がランドセルを背負う場合に、バネ作用に抗して該可動アームが外方に回動すると、該可動アーム３０の外側面部３０ｂは、開口部の外端をなす外端部１３より手前部分に設けた第２ストッパー１７に掛止して停止する。
【００３９】
このように、可動アームの側面部が開口部の両端に当接して停止する構成の場合、両側にガイド片３６、３７を有しているため、髪の毛は開口部内に侵入することはないが、可動アームの両側面部と開口部の内端部１０または外端部１３との間であってガイド片３６,３７上に髪の毛が位置していると挟まってしまうことがある。しかし、本考案の場合は、該可動アームの両側面部は、前記内端部１０又は外端部１３より手前位置に第１，２ストッパー３６，３７を設けてあるため、該可動アームと開口部の両端との間に間隙５４を有して該可動アームが停止する構成のため、髪の毛が間隙５４内に位置していても挟まることはない。
【図面の簡単な説明】
【００４０】
【図１】ランドセルの背板上部中央に取付けた背環の使用状態を示す正面図である。
【図２】背環の作動状態を示す正面図である。
【図３】背環からカバー体及び可動アームを取り外したケース本体の正面図である。
【図４】一方の可動アームの裏面図である。
【図５】ケース本体の平面に取付けるカバー体の平面図である。
【図６】背負ベルトの端部を示す平面図である。
【図７】図６のＡ−Ａ線断面図である。
【図８】分離した取付ピンの一部破断した平面図である。
【図９】可動アームの上端を示す斜視図である。
【図１０】可動アームと背負ベルトの先端部との取付状態を示す断面図である。
【図１１】従来の背環と背負ベルトとの取付状態を示す説明図である。
【符号の説明】
【００４１】
３      背負ベルト
５      背環
６      ケース本体
７    上辺部
１０      内端部
１１      内曲面部
１２      側端面部
１２ａ    外曲面部
１３      外端部
１４      下辺部
１６      ピン孔
１７      第１ストッパー
１８      第２ストッパー
２０      開口部
２２      掛止突起
２５      カバー体
２６      弾発バネ
２７      止ピン
３０      可動アーム
３０ａ    内側面部
３０ｂ    外側面部
３３      支持部
３４      連結口
３５      凹入部
３５ａ    上端部  
３６      ガイド片
３７      ガイド片
４０      吊下金具
５０      端部金具
５０ａ    円筒部
５０ｂ    補強板
５４      間隙
５６      取付ピン
【図１】
0003129873.tif 000003
【図２】
0003129873.tif 000004
【図３】
0003129873.tif 000005
【図４】
0003129873.tif 000006
【図５】
0003129873.tif 000007
【図６】
0003129873.tif 000008
【図７】
0003129873.tif 000009
【図８】
0003129873.tif 000010
【図９】
0003129873.tif 000011
【図１０】
0003129873.tif 000012
【図１１】
0003129873.tif 000013